(57)【要約】    【課題】  耕耘部の上方を覆うロータリカバーと、前記耕耘部の後方を覆い、ヒンジ部を介して前記ロータリカバーに回動自在に連結されたリヤカバーとを備えたロータリ耕耘機であって、簡単な構成で、それだけ低コストで、しかも見栄えに影響することなく、前記ヒンジ部への土の付着を抑制できるロータリ耕耘機を提供する。    【解決手段】  ロータリカバー２１０と、ヒンジ部２２０を介してロータリカバー２１０に回動自在に連結されたリヤカバー２３０とを備えたロータリ耕耘機１００において、ロータリカバー２１０には、ヒンジ部２２０と、該ヒンジ部２２０との間に隙間領域Ｈが画されるように該ヒンジ部２２０の車輌前方に配設された土ガード２１１とが設けられ、リヤカバー２３０には、隙間領域Ｈの一端側開口Ｐから他端側開口Ｐ’への土の侵入を防止する土付着防止部材２３０ａが設けられている。【選択図】  図２
2006187250.tif 000002
【特許請求の範囲】
【請求項１】
耕耘部の上方を覆うロータリカバーと、前記耕耘部の後方を覆うリヤカバーであって、ヒンジ部を介して前記ロータリカバーに回動自在に連結されたリヤカバーとを備えたロータリ耕耘機において、
前記ロータリカバーには、前記ヒンジ部と、該ヒンジ部との間に隙間領域が画されるように該ヒンジ部の車輌前方に配設された土ガードとが設けられており、
前記リヤカバーには、前記隙間領域の一端側開口から他端側開口への土の侵入を防止する土付着防止部材が設けられていることを特徴とするロータリ耕耘機。
【請求項２】
前記リヤカバーは、前記ロータリカバーに設けられた前記ヒンジ部に相対回転自在に外挿される軸受部材を有しており、
前記土付着防止部材は、前記ヒンジ部の軸線を基準にして径方向外方へ延びるように前記軸受部材に設けられていることを特徴とする請求項１に記載のロータリ耕耘機。
【請求項３】
前記リヤカバーは、前記ロータリカバーに対して、標準位置と、該標準位置から前記ヒンジ部回りに上方へ揺動された上昇位置とをとり得るように構成されており、
前記土付着防止部材は、前記リヤカバーが標準位置に位置する際には前記隙間領域内に位置し、且つ、前記リヤカバーの標準位置から上昇位置への移動によって、前記隙間領域内の土を掻き出すように構成されていることを特徴とする請求項２に記載のロータリ耕耘機。
【請求項４】
前記リヤカバーは、前記ロータリカバーに対して、標準位置と、該標準位置から前記ヒンジ部回りに上方へ揺動された上昇位置とをとり得るように構成されており、
前記土付着防止部材は、前記リヤカバーが標準位置に位置する際に、それぞれ、前記隙間領域の耕耘部に近接する側の開口近傍に位置する第１土付着防止部材及び前記隙間領域内に位置する第２土付着防止部材を含み、
前記第２土付着防止部材は、前記ロータリカバーの標準位置から上昇位置への移動によって、前記隙間領域内の土を掻き出すように構成されていることを特徴とする請求項２に記載のロータリ耕耘機。
【請求項５】
耕耘部の上方を覆うロータリカバーと、前記耕耘部の後方を覆うリヤカバーであって、ヒンジ部を介して前記ロータリカバーに回動自在に連結されたリヤカバーとを備えたロータリ耕耘機において、
前記ロータリカバーには、前記ヒンジ部と、該ヒンジ部との間に隙間領域が画されるように該ヒンジ部の車輌前方に配設された土ガードとが設けられており、
さらに前記ロータリカバーには、前記隙間領域の耕耘部に近接する側の開口を閉塞する土付着防止部材が設けられていることを特徴とするロータリ耕耘機。
【請求項６】
前記ロータリカバーには、前記隙間領域の耕耘部から離間された側の開口を閉塞する他の土付着防止部材が設けられていることを特徴とする請求項５に記載のロータリ耕耘機。
【請求項７】
前記リヤカバーは、前記ロータリカバーに設けられた前記ヒンジ部に相対回転自在に外挿される軸受部材を有しており、
前記土付着防止部材は、自由端部が前記リヤカバーの軸受部材に当接するように前記土ガードに設けられた弾性部材とされていることを特徴とする請求項５又は６に記載のロータリ耕耘機。
【発明の詳細な説明】
【技術分野】
【０００１】
本発明は、ロータリ耕耘機に関する。
【背景技術】
【０００２】
耕耘部の上方を覆うロータリカバーと、前記耕耘部の後方を覆うリヤカバーであって、ヒンジ部を介して前記ロータリカバーに回動自在に連結されたリヤカバーとを備えたロータリ耕耘機においては、耕耘作業時に、耕耘部から飛散する土がロータリカバーやリヤカバー、或いはヒンジ部に付着し、耕耘作業に支障をきたすという問題がある。
【０００３】
特に、ロータリカバーにおいて、ヒンジ部と、該ヒンジ部との間に隙間領域が画されるように該ヒンジ部の車輌前方に配設された土ガードとが設けられている場合、該隙間領域に土が侵入し、該ロータリカバーに設けられたヒンジ部に土が付着してしまうと、その付着した土がヒンジ部で硬化し、該硬化した土によりリヤカバーがヒンジ部に固着することで、ロータリカバーに対するリヤカバーの動きを阻害する場合がある。
【発明の開示】
【発明が解決しようとする課題】
【０００４】
このような、ロータリカバーに設けられたヒンジ部への土の付着を防止するために、例えば、図８及び図９に示すように、耕耘部Ｂの上方を覆うロータリカバーＣと、耕耘部Ｂの後方を覆うリヤカバーＤであって、ヒンジ部Ｅを介してロータリカバーＣに回動自在に連結されたリヤカバーＤとを備えたロータリ耕耘機Ａにおいて、ロータリカバーＣには、ヒンジ部Ｅと、該ヒンジ部Ｅとの間に隙間領域Ｈが画されるように該ヒンジ部Ｅの車輌前方に配設された土ガードＦとが設けられており、ロータリカバーＣと、該ロータリカバーＣに対してヒンジ部Ｅを介して回動自在とされたリヤカバーＤとの間において、ゴムのような部材Ｇをボルトやステー等の取付部材Ｇ’により取り付けることで、該隙間領域Ｈへの土の侵入を防止することが考えられるが、かかる部材Ｇを取り付けるためには、ボルトやステー等の取付部材Ｇ’が必要であり、従って、ヒンジ部Ｅへの土付着防止のための構成が複雑になり、ひいてはコストが高くつく。また、この部材ＧはロータリカバーＣとリヤカバーＤとの間で剥き出しの状態になっているので見栄えも悪い。なお、図９は図８におけるα部分を拡大したものである。
【０００５】
そこで、本発明は、耕耘部の上方を覆うロータリカバーと、前記耕耘部の後方を覆うリヤカバーであって、ヒンジ部を介して前記ロータリカバーに回動自在に連結されたリヤカバーとを備えたロータリ耕耘機であって、簡単な構成で、それだけ低コストで、しかも見栄えに影響することなく、前記ヒンジ部への土の付着を抑制できるロータリ耕耘機を提供することを課題とする。
【課題を解決するための手段】
【０００６】
本発明は、前記課題を解決するため、次の第１及び第２のロータリ耕耘機を提供する。
（１）第１のロータリ耕耘機
耕耘部の上方を覆うロータリカバーと、前記耕耘部の後方を覆うリヤカバーであって、ヒンジ部を介して前記ロータリカバーに回動自在に連結されたリヤカバーとを備えたロータリ耕耘機において、前記ロータリカバーには、前記ヒンジ部と、該ヒンジ部との間に隙間領域が画されるように該ヒンジ部の車輌前方に配設された土ガードとが設けられており、前記リヤカバーには、前記隙間領域の一端側開口から他端側開口への土の侵入を防止する土付着防止部材が設けられていることを特徴とするロータリ耕耘機。
【０００７】
（２）第２のロータリ耕耘機
耕耘部の上方を覆うロータリカバーと、前記耕耘部の後方を覆うリヤカバーであって、ヒンジ部を介して前記ロータリカバーに回動自在に連結されたリヤカバーとを備えたロータリ耕耘機において、前記ロータリカバーには、前記ヒンジ部と、該ヒンジ部との間に隙間領域が画されるように該ヒンジ部の車輌前方に配設された土ガードとが設けられており、さらに前記ロータリカバーには、前記隙間領域の耕耘部に近接する側の開口を閉塞する土付着防止部材が設けられていることを特徴とするロータリ耕耘機。
【０００８】
本発明に係る第１のロータリ耕耘機において、前記ロータリカバーには、前記ヒンジ部と、該ヒンジ部との間に隙間領域が画されるように該ヒンジ部の車輌前方に配設された土ガードとが設けられており、前記リヤカバーには、前記隙間領域の一端側開口から他端側開口への土の侵入を防止する土付着防止部材が設けられているので、この土付着防止部材によって、前記隙間領域への土の侵入を抑え、さらには前記ロータリカバーに設けられた前記ヒンジ部への土の付着を抑制することができる。また、前記リヤカバーに設けられた前記土付着防止部材が、前記隙間領域への土の侵入を防止するので、前記リヤカバーや前記ロータリカバーとは別体とされた、前記ヒンジ部への土の付着を防止するための専用の部材を必要とせず、従って、ボルトやステー等の取付部材も不要である。これにより、前記ヒンジ部への土の付着を防止するための構成を簡素化でき、それだけコストを低減させることができる。さらに、前記リヤカバーに設けられた前記土付着防止部材が、前記隙間領域への土の侵入を防止するので、該土付着防止部材を前記ロータリカバーと前記リヤカバーとの間で隠蔽することができ、これにより外観からは見えないように、ひいては見栄えに影響しないようにすることができる。
【０００９】
本発明に係る第２のロータリ耕耘機において、前記ロータリカバーには、前記ヒンジ部と、該ヒンジ部との間に隙間領域が画されるように該ヒンジ部の車輌前方に配設された土ガードと、前記隙間領域の耕耘部に近接する側の開口を閉塞する土付着防止部材とが設けられているので、この土付着防止部材によって、前記隙間領域への土の侵入を抑え、さらには前記ロータリカバーに設けられた前記ヒンジ部への土の付着を抑制することができる。また、前記ロータリカバーに設けられた前記土付着防止部材が、前記隙間領域の耕耘部に近接する側の開口を閉塞するので、前記リヤカバーや前記ロータリカバーとは別体とされた、前記ヒンジ部への土の付着を防止するための専用の部材を必要とせず、従って、ボルトやステー等の取付部材も不要である。これにより、前記ヒンジ部への土の付着を防止するための構成を簡素化でき、それだけコストを低減させることができる。さらに、前記ロータリカバーに設けられた前記土付着防止部材が、前記隙間領域の耕耘部に近接する側の開口を閉塞するので、該土付着防止部材を前記ロータリカバーと前記リヤカバーとの間で隠蔽することができ、これにより外観からは見えないように、ひいては見栄えに影響しないようにすることができる。なお、本発明に係る第２のロータリ耕耘機において、前記ロータリカバーには、前記隙間領域の耕耘部から離間された側の開口を閉塞する他の土付着防止部材が設けられていてもよい。
【００１０】
このように本発明に係る第１及び第２のロータリ耕耘機によると、簡単な構成で、それだけ低コストで、しかも見栄えに影響することなく、前記ヒンジ部への土の付着を抑制することができる。
【００１１】
本発明に係る第１のロータリ耕耘機の具体的に態様として、前記リヤカバーが、前記ロータリカバーに設けられた前記ヒンジ部に相対回転自在に外挿される軸受部材を有していて、前記土付着防止部材が、前記ヒンジ部の軸線を基準にして径方向外方へ延びるように前記軸受部材に設けられている場合を例示できる。この場合、前記リヤカバーが、前記ロータリカバーに対して、標準位置と、該標準位置から前記ヒンジ部回りに上方へ揺動された上昇位置とをとり得るように構成されていてもよい。
【００１２】
このように前記リヤカバーが、前記ロータリカバーに設けられた前記ヒンジ部に相対回転自在に外挿される軸受部材を有していて、前記土付着防止部材が、前記ヒンジ部の軸線を基準にして径方向外方へ延びるように前記軸受部材に設けられており、さらに前記リヤカバーが、前記ロータリカバーに対して、標準位置と、該標準位置から前記ヒンジ部回りに上方へ揺動された上昇位置とをとり得るように構成されている態様においては、耕耘作業時に、前記リヤカバーが上方に開ききる所定の回動位置或いは該回動位置付近まで回動した際には、特に前記隙間領域に土が侵入し易い。そこで、前記土付着防止部材が、前記リヤカバーが標準位置に位置する際には前記隙間領域内に位置し、且つ、前記リヤカバーの標準位置から上昇位置への移動によって、前記隙間領域内の土を掻き出すように構成されていることが好ましい。こうすることで、該土付着防止部材部材が、前記隙間領域に土が入りに難いように蓋のような役目を持つことになり、これにより土の侵入を確実に抑えることができ、また、たとえ前記隙間領域に土が侵入したとしても、例えば、耕耘作業時に前記リヤカバーが回動することで、該回動するリヤカバーに設けられた前記土付着防止部材部材によって、該隙間領域における土を掻き出すことができ、それだけ前記ヒンジ部への土の付着を抑制することができる。
【００１３】
さらに好ましくは、前記土付着防止部材が、前記リヤカバーが標準位置に位置する際に、それぞれ、前記隙間領域の耕耘部に近接する側の開口近傍に位置する第１土付着防止部材及び前記隙間領域内に位置する第２土付着防止部材を含み、前記第２土付着防止部材が、前記ロータリカバーの標準位置から上昇位置への移動によって、前記隙間領域内の土を掻き出すように構成されている場合を例示できる。こうすることで、前記第１土付着防止部材が、前記隙間領域への土の侵入を前記開口近傍で阻止することができると共に、たとえ前記隙間領域に土が侵入したとしても、例えば、耕耘作業時に前記リヤカバーが回動することで、該回動するリヤカバーに設けられた前記第２土付着防止部材によって、該隙間領域における土を効率よく掻き出すことができ、それだけ前記ヒンジ部への土の付着を抑制することができる。
【００１４】
本発明に係る第２のロータリ耕耘機の具体的に態様として、前記リヤカバーが、前記ロータリカバーに設けられた前記ヒンジ部に相対回転自在に外挿される軸受部材を有していて、前記土付着防止部材が、自由端部が前記リヤカバーの軸受部材に当接するように前記土ガードに設けられた弾性部材とされている場合を例示できる。こうすることで、前記土付着防止部材が、前記隙間領域に土が入りに難いように蓋のような役目を持つことになり、これにより土の侵入を確実に抑えることができる。
【発明の効果】
【００１５】
以上説明したように本発明によると、耕耘部の上方を覆うロータリカバーと、前記耕耘部の後方を覆うリヤカバーであって、ヒンジ部を介して前記ロータリカバーに回動自在に連結されたリヤカバーとを備えたロータリ耕耘機であって、簡単な構成で、それだけ低コストで、しかも見栄えに影響することなく、前記ヒンジ部への土の付着を抑制できるロータリ耕耘機を提供することができる。
【発明を実施するための最良の形態】
【００１６】
以下、本発明に係るロータリ耕耘機の好ましい実施の形態につき、添付図面を参照しつつ説明する。図１は本発明の一実施形態であるロータリ耕耘機１００の概略側面図である。
【００１７】
図１に示すように、ロータリ耕耘機１００は、作業車輌の本機に付設されるようになっている。なお、本実施形態においては、該ロータリ耕耘機１００はセンターロータリ型のものとされている。
【００１８】
詳しくは、前記ロータリ耕耘機１００は、本機に設けられたＰＴＯ軸に自在継ぎ手を介して作動連結される入力軸１１０と、伝動機構３００（図１では図示せず、後述する図４参照）を介して前記入力軸１１０に作動連結された駆動軸１２０と、該駆動軸１２０に相対回転不能とされた耕耘爪１３１を有する耕耘部１３０と、本機に設けられたリフトアーム（図示省略）にリンク連結されるアッパーアーム１４０と、該アッパーアーム１４０に連結されるロータケース１５０であって、前記入力軸１１０及び前記駆動軸１２０を支持すると共に、前記伝動機構３００を収容するロータケース１５０と、該ロータケース１５０の両側面にそれぞれ連結された一対のメインビーム１６０と、前記耕耘部１３０の上方を覆うロータリカバー２１０と、前記耕耘部１３０の後方を覆うリヤカバー２３０とを備えている。
【００１９】
前記ロータリカバー２１０には、前記ヒンジ部２２０と、該ヒンジ部２２０との間に隙間領域Ｈが画されるように該ヒンジ部２２０の車輌前方に配設された土ガード２１１とが設けられている。また、前記リヤカバー２３０は、前記耕耘部１３０の後方で、土壌を整地する為の整地用部材２３１を有しており、前記整地用部材２３１が土壌の高さの変化に対応して上下動し得るように、ヒンジ部２２０を介して前記ロータリカバー２１０に回動自在に連結されている。そして、前記リヤカバー２３０には、前記隙間領域Ｈの一端側開口Ｐから他端側開口Ｐ’への土の侵入を防止する土付着防止部材２３０ａが設けられている。
【００２０】
図２は図１に示すロータリ耕耘機１００において前記リヤカバー２３０が前記ヒンジ部２２０を介して連結されている状態を示す概略側面図であって、図２（Ａ）は前記リヤカバー２３０が下方位置に配置されている状態を示しており、図２（Ｂ）は前記リヤカバー２３０が上方に回動している状態を示している。また、図３は前記リヤカバー２３０がヒンジ部２２０を介して前記ロータリカバー２１０に連結される状態の分解斜視図を示している。
【００２１】
図２及び図３に示すように、本実施形態では、前記リヤカバー２３０は、前記ロータリカバー２１０に設けられた前記ヒンジ部２２０に相対回転自在に外挿される軸受部材２３２を有していて、前記土付着防止部材２３０ａは、前記ヒンジ部２２０の軸線を基準にして径方向外方へ延びるように前記軸受部材２３２に設けられている。なお、図３において、前記ヒンジ部２２０及び前記軸受部材２３２は一方側（図中左側）のみ記しており、他方側（図中右側）の前記ヒンジ部２２０及び前記軸受部材２３２は図示を省略してある。
【００２２】
詳しくは、前記土付着防止部材２３０ａは、前記隙間領域Ｈの車輌幅方向（図３中Ｙ方向）全域に亘って延びており、車輌側面視において、前記隙間領域Ｈを横断するように板状に形成されている。なお、前記土付着防止部材２３０ａは、本実施形態では、前記リヤカバー２３０と同じ材質のものであり、該リヤカバー２３０に一体的に形成されている。また、前記リヤカバー２３０は、前記ロータリカバー２１０に対して、標準位置（図２（Ａ）参照）と、該標準位置から前記ヒンジ部２２０回りに上方へ揺動された上昇位置（図２（Ｂ）参照）とをとり得るように構成されている。
【００２３】
さらに詳しくは、前記土付着防止部材２３０ａは、前記リヤカバー２３０が前記標準位置に位置する際には前記隙間領域Ｈ内に位置し、且つ、前記リヤカバー２３０の前記標準位置から前記上昇位置への移動によって、例えば、前記リヤカバー２３０の耕耘作業時に上方（図２（Ｂ）中Ｘ１方向）へ開ききる所定の回動位置への回動によって、前記隙間領域Ｈ内の土を掻き出すように構成されている。なお、土付着防止部材として、前記土付着防止部材２３０ａとは別に、さらに、図２中破線で示すように、前記リヤカバー２３０が前記標準位置に位置する際に前記隙間領域Ｈの耕耘部１３０に近接する側の開口Ｐ近傍に位置する第１土付着防止部材２３０ａ’を設けると共に、前記土付着防止部材２３０ａを第２土付着防止部材とし、該第２土付着防止部材２３０ａが、前記ロータリカバー２１０の前記標準位置から前記上昇位置への移動によって、前記隙間領域Ｈ内の土を掻き出すように構成されていてもよい。このとき、前記部材２３０ａ’は、土の侵入を防ぐための土付着防止部材である。
【００２４】
ここで、前記リヤカバー２３０は、前記ヒンジ部２２０を介して前記ロータリカバー２１０に回動自在に連結されるのであるが、例えば、前記リヤカバー２３０の車輌幅方向Ｙ中央部（図３中β参照）に前記ヒンジ部２２０を設けると、該中央部βでは車輌幅方向Ｙ両端部に比べて土が侵入しやすく、これにより前記リヤカバー２３０の動きが低下しやすい。そこで、本実施形態では、前記ヒンジ部２２０を前記リヤカバー２３０の車輌幅方向Ｙ両端部に設けている。こうすることで、前記リヤカバー２３０の車輌幅方向Ｙ中央部で前記リヤカバー２３０の動きが低下することがないので、それだけ前記リヤカバー２３０の動きを良好に維持することができる。なお、本実施形態では、前記土付着防止部材２３０ａは、前記隙間領域Ｈの車輌幅方向（図３中Ｙ方向）全域に亘って延びているが、車輌幅方向Ｙ中央部を除いた両端部分にのみ設けられていてもよい。
【００２５】
図４は前記入力軸１１０からの駆動力を前記駆動軸１２０に伝達する伝動機構３００を説明するための概略断面図である。
【００２６】
図４において、符号３０１はチェーンケースであり、このチェーンケース３０１の外側を前記ロータリカバー１５０が覆っている。また、符号３０２は前記チェーンケース３０１に固定配置されたベアリングケースである。この伝動機構３００では、前記ベアリングケース３０２に対して、その内側に設けられたボールベアリング３０３及びオイルシール３０４を介してヒンジ３０５が支持されており、前記ヒンジ３０５の前記カバー１５０内の軸端にはスプロケット３０６が固着されていると共に、前記スプロケット３０６には作業車輌の本機側の駆動スプロケット（図示せず）によって駆動されるチェーン３０７を巻回して、前記スプロケット３０６を本機側の動力により駆動するように構成されている。
【００２７】
前記ヒンジ３０５の前記ベアリングケース３０２より内側の内端側は、前記駆動軸１２０の外端を当接させてボルト３０８によって前記駆動軸１２０に固定されている。前記駆動軸１２０には耕耘爪１３１が放射状に固設されている。
【００２８】
ここで、オイルシールへの草・わら、糸等の外来物の侵入を防止するために、一般的にオイルシールを覆うダストカバーが設けられるのであるが、例えば、ダストカバーが円筒状に形成されていて、また、回転側のヒンジの外径が、固定配置されたダストカバーの外径より小さいと、該ヒンジの外径部分に巻き付きやすく、これにより、該巻き付いた草等の外来物が、ダストカバーの隙間から内部に侵入してしまうと、オイルシールが破壊され、オイル漏れを起こすといった不具合を招く。
【００２９】
そこで、本実施形態では、ダストカバー３１０を前記ベアリングケース３０２に固定配置すると共に、回転側の前記ヒンジ３０５側に向かうに従って次第に外径を大きくしたテーパ形状に形成し、また、回転側の前記ヒンジ３０５の外径（図中ｄ１参照）を、固定側の前記ダストカバー３１０の外径であって、最も前記ヒンジ３０５に近い側の外径（図中ｄ２参照）より大きくしている。このように、前記ダストカバー３１０を前記テーパ形状に形成することで、草等の外来物Ｑを前記ダストカバー３１０の隙間３１０ａ以外に流れやすくすることができ、外来物Ｑを前記ダストカバー３１０の隙間３１０ａ付近に溜まりにくくすることができるので、前記ダストカバー３１０内への外来物の絶対量を少なくすることができる。また、草等の外来物Ｑは、糸巻き作用により、通常は大径側よりも小径側に巻き付こうとするため、回転側の前記ヒンジ３０５の前記外径ｄ１を固定側の前記ダストカバー３１０の前記外径ｄ２より大きくすることで、該外来物Ｑを、前記ヒンジ３０５に巻き付きにくくすることができると共に、前記ヒンジ３０５の外径ｄ１より小径の前記外径ｄ２を有する前記ダストカバー３１０の外側面に沿って該ダストカバー３１０側に流れやすくすることができる。これにより、前記ダストカバー３１０の隙間３１０ａから外来物Ｑを内部に侵入しにくくすることができ、ひいては前記オイルシール３０４の破壊によるオイル漏れの発生を少なくすることができる。
【００３０】
なお、伝動機構３００において、前記チェーンケース３０１、前記スプロケット３０６及び前記チェーン３０７が組み込まれる側（以下、駆動側という）とは反対側（以下、従動側という）の構成は、前記チェーンケース３０１、前記スプロケット３０６及び前記チェーン３０７が組み込まれる以外は前記駆動側の構成と実質的に同様の構成をしている。
【００３１】
ところで、コンクリート畦畔などから前記チェーンケース３０１や前記ベアリングケース３０２を保護する為のプロテクタが前記ベアリングケース３０２等に設けられることがある。特に、前記プロテクタの磨耗が早くなるような地域で使用される場合には、前記プロテクタに用いる材料の板厚を厚くしたり、標準組み込みのプロテクタにさらに鉄板を溶接した特製部材を設けることで対応することもある。しかしながら、前記プロテクタに用いる材料の板厚を厚くするにも限界がある。また、標準組み込みのプロテクタにさらに鉄板を溶接した特製部材を設けると、特注扱いの限定品になってコストアップになり、現場対応になる場合が多い。さらに、プロテクタの交換時期が分からないため、プロテクタが磨耗限界を超えても気がつかないで使用されることもある。
【００３２】
そこで、本実施形態では、図５に示すように、ボルト３２０ａによって前記ベアリングケース３０２に取り付けられた標準組み込みのプロテクタ３２０の外側にさらに簡易プロテクタ３２１が取り付けられている。図５は、伝動機構３００の前記従動側において前記ベアリングケース３０２に取り付けられた標準組み込みのプロテクタ３２０の外側にさらに簡易プロテクタ３２１が取り付けられている状態を示している。なお、図５に示す前記従動側の構成では、前記チェーンケース３０１に代えてサイドサポータ３３０が設けられている。また、図示していないが、前記駆動側の前記ベアリングケース３０２にも前記従動側と同様に簡易プロテクタ３２１が設けられている。
【００３３】
この簡易プロテクタ３２１は、該簡易プロテクタ３２１及び前記標準組み込みのプロテクタ３２０を貫通した２本のボルト３２２及び該ボルト３２２にそれぞれ取り付けられるナット３２３によって締め付けられることで、前記標準組み込みのプロテクタ３２０に取り付けられている。図６に示すように、簡易プロテクタ３２１においては、ボルト締め付け部Ｒに、ボルト頭部３２２ａが半分程度潜る座繰り３２１ａが設けられている。この簡易プロテクタ３２１は、廃材などを利用することができる。従って、安価なものとして提供することができる。また、ボルト３２２で締め付けるだけの簡単な構成で前記簡易プロテクタ３２１を前記標準組み込みのプロテクタ３２０に取り付け得るので、現場対応を行いやすい。さらに、前記簡易プロテクタ３２１のボルト締め付け部Ｒに前記ボルト頭部３２２ａが半分程度潜る座繰り３２１ａが設けられているので、該ボルト頭部３２２ａが、前記簡易プロテクタ３２１の磨耗の伴って欠落し、該簡易プロテクタ３２１が前記ベアリングケース３０２から外れることで、該簡易プロテクタ３２１の交換時期を容易に視認することができる。
【００３４】
以上説明したロータリ耕耘機１００において、前記ロータリカバー２１０には、前記ヒンジ部２２０と、該ヒンジ部２２０との間に隙間領域Ｈが画されるように該ヒンジ部２２０の車輌前方に配設された土ガード２１１とが設けられており、前記リヤカバー２３０には、前記隙間領域Ｈの一端側開口Ｐから他端側開口Ｐ’への土の侵入を防止する土付着防止部材２３０ａが設けられているので、この土付着防止部材２３０ａによって、前記隙間領域Ｈへの土の侵入を抑え、さらには前記ロータリカバー２１０に設けられた前記ヒンジ部２２０への土の付着を抑制することができる。また、前記リヤカバー２３０に設けられた前記土付着防止部材２３０ａが、前記隙間領域Ｈへの土の侵入を防止するので、前記リヤカバー２３０や前記ロータリカバー２１０とは別体とされた、前記ヒンジ部２２０への土の付着を防止するための専用の部材を必要とせず、従って、ボルトやステー等の取付部材も不要である。これにより、前記ヒンジ部２２０への土の付着を防止するための構成を簡素化でき、それだけコストを低減させることができる。さらに、前記リヤカバー２３０に設けられた前記土付着防止部材２３０ａが、前記隙間領域Ｈへの土の侵入を防止するので、該土付着防止部材２３０ａを前記ロータリカバー２１０と前記リヤカバー２３０との間で隠蔽することができ、これにより外観からは見えないように、ひいては見栄えに影響しないようにすることができる。
【００３５】
さらに、前記リヤカバー２３０が、前記ロータリカバー２１０に設けられた前記ヒンジ部２２０に相対回転自在に外挿される軸受部材２３２を有していて、前記土付着防止部材２３０ａが、前記ヒンジ部２２０の軸線を基準にして径方向外方へ延びるように前記軸受部材２３２に設けられており、また、前記リヤカバー２３０が、前記ロータリカバー２１０に対して、前記標準位置（図２（Ａ）参照）と、前記上昇位置（図２（Ｂ）参照）とをとり得るように構成されており、前記土付着防止部材２３０ａが、前記リヤカバー２３０が前記標準位置に位置する際には前記隙間領域Ｈ内に位置し、且つ、前記リヤカバー２３０の前記標準位置から上昇位置への移動によって、前記隙間領域Ｈ内の土を掻き出すように構成されているので、該土付着防止部材部材２３０ａが、前記隙間領域Ｈに土が入りに難いように蓋のような役目を持つことになり、これにより土の侵入を確実に抑えることができ、また、たとえ前記隙間領域Ｈに土が侵入したとしても、例えば、耕耘作業時に前記リヤカバー２３０が回動することで、該回動するリヤカバー２３０に設けられた前記土付着防止部材部材２３０ａによって、該隙間領域Ｈにおける土を掻き出すことができ、それだけ前記ヒンジ部２２０への土の付着を抑制することができる。
【００３６】
また、土付着防止部材として、前記土付着防止部材２３０ａとは別に、さらに、図２中破線で示すように、前記リヤカバー２３０が前記標準位置に位置する際に前記開口Ｐ近傍に位置する第１土付着防止部材２３０ａ’を設けると共に、前記土付着防止部材２３０ａを第２土付着防止部材とし、該第２土付着防止部材２３０ａが、前記ロータリカバー２１０の前記標準位置から前記上昇位置への移動によって、前記隙間領域Ｈ内の土を掻き出すように構成されている場合には、前記第１土付着防止部材２３０ａ’が、前記隙間領域Ｈへの土の侵入を前記開口Ｐ近傍で阻止することができると共に、たとえ前記隙間領域Ｈに土が侵入したとしても、例えば、耕耘作業時に前記リヤカバー２３０が回動することで、該回動するリヤカバー２３０に設けられた前記第２土付着防止部材２３０ａによって、該隙間領域Ｈにおける土を効率よく掻き出すことができ、それだけ前記ヒンジ部２２０への土の付着を抑制することができる。
【００３７】
図７は本発明の他の実施形態に係るロータリ耕耘機においてリヤカバーがヒンジ部を介して連結されている状態を示す図であって、該リヤカバーが下方位置に配置されている状態を示している。
【００３８】
このロータリ耕耘機１００’は、土付着防止部材の配置構成が異なる以外は図１に示すロータリ耕耘機１００と実質的に同様の構成のものである。以下、図７に示すロータリ耕耘機１００’について、図１に示すロータリ耕耘機１００とは異なる部分を中心に説明し、共通する部分の説明は省略する。
【００３９】
図７に示すロータリ耕耘機１００’は、入力軸、駆動軸、アッパーアーム、ロータケース、メインビーム（以上、図示省略）及び耕耘部１３０を備えている。これらの部材は、それぞれ図１に示すロータリ耕耘機１００の前記入力軸１１０、前記駆動軸１２０、前記アッパーアーム１４０、前記ロータケース１５０、前記メインビーム１６０及び前記耕耘部１３０等と実質的に同様の構成をしており、以下同じ参照符号で説明する。
【００４０】
ロータリ耕耘機１００’はさらに、前記耕耘部１３０の上方を覆うロータリカバー２１０’と、前記耕耘部１３０の後方を覆うリヤカバー２３０’とを備えている。
【００４１】
前記ロータリカバー２１０’には、前記ヒンジ部２２０と、該ヒンジ部２２０との間に隙間領域Ｈが画されるように該ヒンジ部２２０の車輌前方に配設された土ガード２１１とが設けられている。そして、このロータリカバー２１０’には、前記隙間領域Ｈの耕耘部１３０に近接する側の開口Ｐを閉塞する土付着防止部材２１０ａがさらに設けられている。
【００４２】
前記リヤカバー２３０’は、図１に示すロータリ耕耘機１００と同様、前記耕耘部１３０の後方で、土壌を整地する為の整地用部材２３１（図７では図示せず、図１参照）を有しており、前記整地用部材２３１が土壌の高さの変化に対応して上下動し得るように、ヒンジ部２２０を介して前記ロータリカバー２１０’に回動自在に連結されている。
【００４３】
前記リヤカバー２３０’は、前記ロータリカバー２１０’に設けられた前記ヒンジ部２２０に相対回転自在に外挿される軸受部材２３２を有していて、前記土付着防止部材２１０ａは、本実施形態では、自由端部が前記リヤカバー２３０’の軸受部材２３２に当接するように前記土ガード２１１に設けられた弾性部材とされている。なお、土付着防止部材２１０ａは、本実施形態では、断面視三角形状のゴム部材を前記土ガード２１１に溶着したものとしている。また、前記リヤカバー２３０’に、図１乃至図３に示すような土付着防止部材（第２土付着防止部材）２３０ａを設けてもよい。この場合、前記土ガード２１１に設けられた前記土付着防止部材２１０ａはゴム部材であるので、例えば、前記リヤカバー２３０’が上昇するに際して前記リヤカバー２３０’に設けられた第２土付着防止部材２３０ａが、容易に前記土ガード２１１に設けられた前記土付着防止部材２１０ａを乗り越えることができる。また、前記ロータリカバー２１０’には、図７中破線で示すように、前記隙間領域Ｈの耕耘部１３０から離間された側の開口Ｐ’を閉塞する他の土付着防止部材２１０ａ’が設けられていてもよい。また、前記土付着防止部材２１０ａは、前記隙間領域Ｈの車輌幅方向全域に亘って延びていてもよいし、車輌幅方向中央部を除いた両端部分にのみ設けられていてもよい。
【００４４】
以上説明したロータリ耕耘機１００’において、前記ロータリカバー２１０’には、前記ヒンジ部２２０と、該ヒンジ部２２０との間に隙間領域Ｈが画されるように該ヒンジ部２２０の車輌前方に配設された土ガード２１１と、前記隙間領域Ｈの耕耘部１３０に近接する側の開口Ｐを閉塞する土付着防止部材２１０ａとが設けられているので、この土付着防止部材２１０ａによって、前記隙間領域Ｈへの土の侵入を抑え、さらには前記ロータリカバー２１０’に設けられた前記ヒンジ部２２０への土の付着を抑制することができる。また、前記ロータリカバー２１０’に設けられた前記土付着防止部材２１０ａが、前記開口Ｐを閉塞するので、前記リヤカバー２３０’や前記ロータリカバー２１０’とは別体とされた、前記ヒンジ部２２０への土の付着を防止するための専用の部材を必要とせず、従って、ボルトやステー等の取付部材も不要である。これにより、前記ヒンジ部２２０への土の付着を防止するための構成を簡素化でき、それだけコストを低減させることができる。さらに、前記ロータリカバー２１０’に設けられた前記土付着防止部材２１０ａが、前記開口Ｐを閉塞するので、該土付着防止部材２１０ａを前記ロータリカバー２１０’と前記リヤカバー２３０’との間で隠蔽することができ、これにより外観からは見えないように、ひいては見栄えに影響しないようにすることができる。
【００４５】
さらに、前記リヤカバー２３０’が、前記ロータリカバー２１０’に設けられた前記ヒンジ部２２０に相対回転自在に外挿される軸受部材２３２を有していて、前記土付着防止部材２１０ａが、自由端部が前記リヤカバー２３０’の軸受部材２３２に当接するように前記土ガード２１１に設けられた弾性部材とされているので、該土付着防止部材２１０ａが、前記隙間領域Ｈに土が入りに難いように蓋のような役目を持つことになり、これにより土の侵入を確実に抑えることができる。
【００４６】
このように、本実施形態に係るロータリ耕耘機１００，１００’によれば、簡単な構成で、それだけ低コストで、しかも見栄えに影響することなく、前記ヒンジ部２２０への土の付着を抑制することができる。
【図面の簡単な説明】
【００４７】
【図１】図１は、本発明の一実施形態であるロータリ耕耘機の概略側面図である。
【図２】図２は、図１に示すロータリ耕耘機においてリヤカバーがヒンジ部を介して連結されている状態を示す概略側面図であって、図２（Ａ）は、リヤカバーが下方位置に配置されている状態を示す図であり、図２（Ｂ）は、リヤカバーが上方に回動している状態を示す図である。
【図３】図３は、リヤカバーがヒンジ部を介してロータリカバーに連結される状態を示す分解斜視図である。
【図４】図４は、入力軸からの駆動力を駆動軸に伝達する伝動機構を説明するための概略断面図である。
【図５】図５は、伝動機構の従動側においてベアリングケースに取り付けられた標準組み込みのプロテクタの外側にさらに簡易プロテクタが取り付けられている状態を示す分解斜視図である。
【図６】図６は、簡易プロテクタのボルト締め付け部を示す概略断面図である。
【図７】図７は、本発明の他の実施形態に係るロータリ耕耘機においてリヤカバーがヒンジ部を介して連結されている状態を示す図であって、該リヤカバーが下方位置に配置されている状態を示す概略側面図である。
【図８】図８は、ロータリ耕耘機においてロータリカバーとリヤカバーとの間に、該リヤカバーや該ロータリカバーとは別体とされた、ヒンジ部への土の付着を防止するための部材が取り付けられている状態を示す図である。
【図９】図９は、図８におけるα部分を拡大した図である。
【符号の説明】
【００４８】
１００，１００’…ロータリ耕耘機  １３０…耕耘部  
２１０，２１０’…ロータリカバー  ２１１…土ガード  ２２０…ヒンジ部  
２３０，２３０’…リヤカバー  ２３０ａ…土付着防止部材（第２土付着防止部材）  
２３０ａ’…第１土付着防止部材  ２１０ａ，２１０ａ’…土付着防止部材  
２３２…軸受部材  Ｈ…隙間領域  Ｐ…隙間領域の開口  
【図１】
2006187250.tif 000003
【図２】
2006187250.tif 000004
【図３】
2006187250.tif 000005
【図４】
2006187250.tif 000006
【図５】
2006187250.tif 000007
【図６】
2006187250.tif 000008
【図７】
2006187250.tif 000009
【図８】
2006187250.tif 000010
【図９】
2006187250.tif 000011